(57)【要約】  本発明は、多数個のＬＥＤ素子が直列連結されたＬＥＤアレイが多数個並列に接続されたＬＥＤモジュールと、前記ＬＥＤモジュールに定電流を印加する定電流供給部と、前記各ＬＥＤアレイに直列連結された可変抵抗部と、前記定電流供給部及び可変抵抗部を制御する制御部とを含み、前記制御部は、測定された各ＬＥＤアレイの電流値のうち１つ以上が正常範囲を脱した場合には、前記可変抵抗部を調節し、各ＬＥＤアレイの全体抵抗を一致させて電流バランスを維持するＬＥＤ照明装置を開示する。【選択図】図１
2015533018.tif 000002
【特許請求の範囲】
【請求項１】
多数個のＬＥＤ素子が直列連結されたＬＥＤアレイが多数個並列に接続されたＬＥＤモジュールと、
前記ＬＥＤモジュールに定電流を印加する定電流供給部と、
前記各ＬＥＤアレイに直列連結された可変抵抗部と、
前記定電流供給部及び可変抵抗部を制御する制御部と、を含み、
前記制御部は、測定された各ＬＥＤアレイの電流値のうち１つ以上が正常範囲を脱した場合には、前記可変抵抗部を調節し、各ＬＥＤアレイの全体抵抗を一致させて電流バランスを維持するＬＥＤ照明装置。
【請求項２】
前記制御部は、測定された各ＬＥＤアレイの電流値のうち１つ以上が正常範囲を脱した場合には、各ＬＥＤアレイの合成抵抗を算出し、前記各ＬＥＤアレイの合成抵抗が一致しない場合には、前記可変抵抗部を調節し、且つ前記正常範囲は、正常電流の９０％〜１１０％であることを特徴とする請求項１に記載のＬＥＤ照明装置。
【請求項３】
前記制御部は、前記各ＬＥＤアレイに連結された可変抵抗部を調節することによって、発生する損失電力があらかじめ定められた基準値より小さい場合には、
前記可変抵抗部を調節し、全体抵抗を一致させることを特徴とする請求項２に記載のＬＥＤ照明装置。
【請求項４】
前記制御部は、前記各ＬＥＤアレイに連結された可変抵抗部を調節することによって、発生する損失電力があらかじめ定められた基準値より大きい場合には、
前記損失電力があらかじめ定められた基準値と同一になる範囲まで前記可変抵抗部を調節し、
前記可変抵抗部が調節された状態で各ＬＥＤアレイの電流値のうち前記正常範囲を脱したＬＥＤアレイの電流値を累積し、前記定電流駆動部が正格電流から前記累積した電流値を引いた調整電流を出力するように制御することを特徴とする請求項２に記載のＬＥＤ照明装置。
【請求項５】
前記基準値は、正格電力の０．１％〜５％内で定められた任意の値であることを特徴とする請求項３または４に記載のＬＥＤ照明装置。
【請求項６】
前記制御部は、測定された各ＬＥＤアレイの電流値のうち１つ以上が正常範囲を脱した場合、
順次に１つのＬＥＤアレイにのみ測定電流を印加し、当該ＬＥＤアレイにかかる電圧ＶLEDを測定することによって、各ＬＥＤアレイの合成抵抗を順次に算出することを特徴とする請求項２に記載のＬＥＤ照明装置。
【請求項７】
前記制御部は、合成抵抗が最も大きいＬＥＤアレイを基準として残りのＬＥＤアレイに直列連結された可変抵抗を調節し、各ＬＥＤアレイの全体抵抗を一致させることを特徴とする請求項６に記載のＬＥＤ照明装置。
【請求項８】
前記ＬＥＤ照明装置は、遠隔地で前記制御部と接続されたインターフェースを通じて照明装置の設定値を制御し、照明装置の状態を監視することを特徴とする請求項１に記載のＬＥＤ照明装置。
【請求項９】
前記各ＬＥＤアレイに直列連結された電流センシング部を含むことを特徴とする請求項１に記載のＬＥＤ照明装置。
【請求項１０】
前記制御部は、測定された各ＬＥＤアレイの電流値のうち１つ以上が正常電流の３０％以下であるか、または１３０％以上である場合には、当該ＬＥＤアレイを遮断させ、前記遮断されたＬＥＤアレイの個数分だけ電流値が減少するように定電流供給部を制御することを特徴とする請求項２に記載のＬＥＤ照明装置。
【請求項１１】
各ＬＥＤアレイの電流値が正常範囲であるかを判断する段階と、
前記各ＬＥＤアレイのうちいずれか１つ以上の電流値が正常範囲を脱した場合に、前記各ＬＥＤアレイの合成抵抗を測定する段階と、
前記各ＬＥＤアレイの合成抵抗が一致しない場合、前記各ＬＥＤアレイの全体抵抗が一致するように補正抵抗を算出する段階と、
前記算出された補正抵抗を有するように可変抵抗部を制御し、前記各ＬＥＤアレイの全体抵抗を一致させる段階と、を含むＬＥＤ照明装置の制御方法。
【請求項１２】
前記補正抵抗を算出する段階は、
順次に１つのＬＥＤアレイにのみ測定電流を印加し、当該ＬＥＤアレイにかかる電圧ＶLEDを測定することによって、各ＬＥＤアレイの合成抵抗を順次に算出することを特徴とする請求項１１に記載のＬＥＤ照明装置の制御方法。
【請求項１３】
前記全体抵抗を一致させる段階で、
前記各ＬＥＤアレイに連結された可変抵抗部を調節することによって、発生する損失電力があらかじめ定められた基準値より小さい場合には、
前記可変抵抗部を調節し、全体抵抗を一致させることを特徴とする請求項１１に記載のＬＥＤ照明装置の制御方法。
【発明の詳細な説明】
【技術分野】
【０００１】
本発明は、ＬＥＤ照明装置に関する。
【背景技術】
【０００２】
一般的に発光ダイオード（ＬＥＤ：Ｌｉｇｈｔ  Ｅｍｉｔｔｉｎｇ  Ｄｉｏｄｅ）を利用した照明装置は、複数のＬＥＤが直列に接続されてＬＥＤアレイを形成し、該ＬＥＤアレイが複数個並列に接続されてＬＥＤモジュールを形成する。
【０００３】
複数のＬＥＤを直列に接続したＬＥＤアレイが複数個並列に接続された状態で駆動すれば、作動時間が増加するにつれてＬＥＤ素子の動作電圧（Ｖｆ）が変わるので、並列に接続されたＬＥＤアレイの電流バランスが割れるようになる。
【０００４】
すなわち、ＬＥＤ素子に異常が発生すれば、当該ＬＥＤ素子が含まれたＬＥＤアレイは、ＬＥＤ素子の動作電圧（Ｖｆ）が増加し、正常電流より少ない電流が流れるか、またはＬＥＤ素子の動作電圧（Ｖｆ）が減少し、正常電流より大きい電流が流れるようになる。しかし、定電流発生源の設定された電流は変動しないので、劣化したＬＥＤアレイで変更された電流は、劣化しない他のＬＥＤアレイに電流が増加または減少して流れるようになる。
【０００５】
したがって、ＬＥＤアレイの電流バランスが割れるようになり、全体的にＬＥＤアレイ別に明るさが変わって、均一な明るさを維持することができない。また、特定のＬＥＤアレイに電流が増加する場合、ＬＥＤ寿命が短縮される問題がある。
【０００６】
したがって、このような問題を解決するために、韓国公開特許第２００９−００１１７４４号では、それぞれのＬＥＤアレイに定電流回路（ｃｏｎｓｔａｎｔ−ｃｕｒｒｅｎｔ  ｃｉｒｃｕｉｔ）をそれぞれ設置し、定電流を流すことによって、ＬＥＤユニットに流れる電流の不均衡を制御するＬＥＤ駆動回路を開示している。
【０００７】
しかし、このようなＬＥＤ駆動回路は、ＬＥＤ列に印加される電圧を遮断し、ＬＥＤの寿命が全体的に短縮されることを防止することはできるが、このようなＬＥＤ駆動回路をＬＥＤ照明装置に使用する場合には、ＬＥＤ素子が１つでも破損されても、ＬＥＤ照明装置はオフされ、照明装置としての役目を全然行うことができない問題がある。
【発明の概要】
【発明が解決しようとする課題】
【０００８】
本発明は、ＬＥＤアレイの間の電流バランスが割れた場合、ＬＥＤアレイ間の全体抵抗偏差を減らし、印加される電流が一定になるように補正することによって、ＬＥＤ素子を保護するＬＥＤ照明装置を提供する。
【課題を解決するための手段】
【０００９】
本発明の一態様によるＬＥＤ照明装置は、多数個のＬＥＤ素子が直列連結されたＬＥＤアレイが多数個並列に接続されたＬＥＤモジュールと、前記ＬＥＤモジュールに定電流を印加する定電流供給部と、前記各ＬＥＤアレイに直列連結された可変抵抗部と、前記定電流供給部及び可変抵抗部を制御する制御部と、を含み、前記制御部は、測定された各ＬＥＤアレイの電流値のうち１つ以上が正常範囲を脱した場合には、各ＬＥＤアレイの合成抵抗を算出し、前記各ＬＥＤアレイの合成抵抗が一致しない場合には、前記可変抵抗部を調節し、各ＬＥＤアレイの全体抵抗を一致させて、電流バランスを維持する。
【００１０】
本発明の一態様によるＬＥＤ照明装置において、前記正常範囲は、正常電流の９０％〜１１０％であることができる。
【００１１】
本発明の一態様によるＬＥＤ照明装置において、前記制御部は、前記各ＬＥＤアレイに連結された可変抵抗部を調節することによって、発生する損失電力があらかじめ定められた基準値より小さい場合には、前記可変抵抗部を調節し、全体抵抗を一致させることができる。
【００１２】
本発明の一態様によるＬＥＤ照明装置において、前記制御部は、前記各ＬＥＤアレイに連結された可変抵抗部を調節することによって、発生する損失電力があらかじめ定められた基準値より大きい場合には、前記各ＬＥＤアレイの電流値のうち前記正常範囲を脱したＬＥＤアレイの電流値を累積し、増減された電流の累積値分だけ電流値が調節されるように前記定電流供給部を制御することができる。
【００１３】
本発明の一態様によるＬＥＤ照明装置において、前記制御部は、前記各ＬＥＤアレイに連結された可変抵抗部を調節することによって、発生する損失電力があらかじめ定められた基準値より大きい場合には、前記損失電力があらかじめ定められた基準値と同一になる範囲まで前記可変抵抗部を調節し、可変抵抗部が調節された状態で各ＬＥＤアレイの電流値のうち前記正常範囲を脱したＬＥＤアレイの電流値を累積し、前記定電流駆動部が正格電流から前記累積した電流値を引いた調整電流を出力するように制御することができる。
【００１４】
本発明の一態様によるＬＥＤ照明装置で、前記基準値は、正格電力の０．１％〜５％内で定められた任意の値であることができる。
【００１５】
本発明の一態様によるＬＥＤ照明装置は、前記ＬＥＤモジュールに配置された放熱板の温度を測定する温度センシング部をさらに含み、前記制御部は、前記放熱板の温度が基準温度範囲を満足するとき、前記各ＬＥＤアレイの合成抵抗を算出することができる。
【００１６】
本発明の一態様によるＬＥＤ照明装置は、前記制御部は、測定された各ＬＥＤアレイの電流値のうち１つ以上が正常範囲を脱した場合、順次に１つのＬＥＤアレイにのみ測定電流を印加し、当該ＬＥＤアレイにかかる電圧（ＶLED）を測定することによって、各ＬＥＤアレイの合成抵抗を順次に算出し、前記測定電流は、正格電流を前記ＬＥＤアレイの個数で割った電流値であることができる。
【００１７】
本発明の一態様によるＬＥＤ照明装置は、前記制御部は、合成抵抗が最も大きいＬＥＤアレイを基準として残りのＬＥＤアレイに直列連結された可変抵抗を調節し、各ＬＥＤアレイの全体抵抗を一致させることができる。
【００１８】
本発明の一態様によるＬＥＤ照明装置は、前記可変抵抗部は、トランジスタ、ＦＥＴ、ＪＦＥＴ、ＥＭＯＳＦＥＴ、及びポテンショメータのうち選択されたいずれか１つであることができる。
【００１９】
本発明の一態様によるＬＥＤ照明装置は、前記各ＬＥＤアレイに直列連結された電流センシング部を含む。
【００２０】
本発明の一態様によるＬＥＤ照明装置において、前記制御部は、測定された各ＬＥＤアレイの電流値のうち１つ以上が正常電流の３０％以下であるか、または１３０％以上である場合には、当該ＬＥＤアレイを遮断させ、当該ＬＥＤアレイの個数分だけ電流値が減少するように定電流供給部を制御することができる。
【００２１】
本発明の一態様によるＬＥＤ照明装置の制御方法は、各ＬＥＤアレイの電流値が正常範囲であるかを判断する段階と、前記各ＬＥＤアレイのうちいずれか１つ以上の電流値が正常範囲を脱した場合に、前記各ＬＥＤアレイの合成抵抗を測定する段階と、前記各ＬＥＤアレイの合成抵抗が一致しない場合、前記各ＬＥＤアレイの全体抵抗が一致するように補正抵抗を算出する段階と、前記算出された補正抵抗を有するように可変抵抗部を制御し、前記各ＬＥＤアレイの全体抵抗を一致させる段階と、を含む。
【発明の効果】
【００２２】
本発明によれば、１つの照明装置内でＬＥＤ素子の異常により電流バランスが維持されない場合、各ＬＥＤアレイの抵抗を一致させて、最小限の電力損失で電流バランスを維持することができる。
【００２３】
また、電流バランスを維持することによって、特定のＬＥＤ素子の異常により当該ＬＥＤアレイの不良と、それによって他のＬＥＤアレイが損傷されることを抑制することができる。
【図面の簡単な説明】
【００２４】
【図１】図１は本発明の実施例によるＬＥＤ照明装置を説明するための図である。
【図２】図２は本発明の実施例によって各ＬＥＤアレイで測定された電流バランスを維持する過程を示す流れ図である。
【図３】図３は各ＬＥＤアレイの全体抵抗を一致させるために補正抵抗を算出する過程を示す図である。
【発明を実施するための形態】
【００２５】
本発明は、多様な変更を行うことができ、さまざまな実施例を有することができるところ、特定の実施例を図面に例示し、詳細な説明に詳細に説明しようとする。
【００２６】
なお、これは、本発明を特定の実施形態に対して限定しようとするものではなく、本発明の思想及び技術範囲に含まれるすべての変更、均等物ないし代替物を含むものと理解しなければならない。
【００２７】
本発明で使用した用語は、ただ特定の実施例を説明するために使用されたものであって、本発明を限定しようとする意図ではない。単数の表現は、文脈上明白に異なるように意味しない限り、複数の表現を含む。
【００２８】
また、本発明で添付された図面は、説明の便宜のために拡大または縮小して図示したものと理解しなければならない。
【００２９】
以下、本発明について図面を参照して詳細に説明し、参照符号に関係なく、同一または対応する構成要素は、同一の参照番号を付与し、これに対する重複する説明を省略する。
【００３０】
図１は、本発明の実施例によるＬＥＤ照明装置を説明するための図である。
【００３１】
図１を参照すれば、本発明によるＬＥＤ照明装置は、多数個のＬＥＤ素子が直列連結されたＬＥＤアレイ２１、２２…２Ｎが多数個並列に接続されたＬＥＤモジュール２０と、前記ＬＥＤモジュール２０に定電流を印加する定電流供給部１０と、前記各ＬＥＤアレイ２１、２２…２Ｎに直列連結された可変抵抗部９０と、前記定電流供給部１０及び可変抵抗部９０を制御する制御部５０とを含む。
【００３２】
ＬＥＤモジュール２０は、複数個のＬＥＤアレイ２１、２２…２Ｎが並列に連結されて構成され、各ＬＥＤアレイ２１、２２…２Ｎは、複数個のＬＥＤ素子が直列に連結される。ＬＥＤモジュール２０のサイズは、設置場所、構造などによって多様に変形されることができる。
【００３３】
定電流供給部１０は、各ＬＥＤアレイ２１、２２…２Ｎに定電流を印加する公知の構成である。この際、直流（ＤＣ）入力方式は、シリーズパス（Ｓｅｒｉｅｓ  ｐａｓｓ）方式と、スイッチング定電流方式があり、交流（ＡＣ）入力方式は、コンバータ方式があり、出力方式は、いずれもＤＣ定電流を出力し、外部の０〜５Ｖの制御信号によって出力される定電流の大きさを調節する機能を有する。
【００３４】
また、定電流供給部１０はＰＷＭ方式によって制御される装置を使用してもよく、定電流供給部１０は、ＲＳ４８５などのシリアル通信方式によって制御される装置を使用してもよい。本発明の一実施例による定電流供給部１０は、単一の定電流供給部で構成することができる。
【００３５】
可変抵抗部９０は、一種の電流／電圧調節素子であって、それぞれのＬＥＤアレイ２１、２２…２Ｎに直列連結され、制御部５０で印加されるゲート(ｇａｔｅ)電圧信号によって抵抗が可変され得るように構成される。このような可変抵抗部９０は、トランジスタＴＲ、ＦＥＴ、ＪＦＥＴ、ＥＭＯＳＦＥＴ、ポテンショメータのうちいずれか１つを選択することができる。
【００３６】
アナログ−デジタル変換器４０は、それぞれのＬＥＤアレイ２１、２２…２Ｎに印加される電流と、定電流供給部１０の出力電圧、及び放熱板温度情報をデジタル信号に変換する。
【００３７】
センシング抵抗３０は、ＬＥＤアレイ２１、２２…２Ｎに直列連結される。この際、ＬＥＤ照明装置の効率が低下しないように、抵抗値は、極めて小さく設計することが好ましい。しかし、このようなセンシング抵抗の代わりに、可変抵抗部９０を利用してＬＥＤアレイ２１、２２…２Ｎの電流値をセンシングしてもよい。
【００３８】
制御部５０は、電源が印加されれば、定電流供給部１０の設定状態（出力電圧、出力定電流などの正常状態、最大値、最小値の範囲）と、ＬＥＤアレイ２１、２２…２Ｎの個数とアレイ当たりのＬＥＤ数（ＬＥＤｓ ｐｅｒ ｓｔｒｉｎｇ）、そしてＬＥＤ保護条件による各ＬＥＤアレイの可変抵抗制御と関連した設定値、電流臨界値、電圧臨界値、温度臨界値などを読み出す。
【００３９】
また、制御部５０は、アナログ−デジタル変換器４０を通じて各ＬＥＤアレイの電流Ｉ１、Ｉ２、Ｉ３、Ｉ４、〜Ｉｎと定電流供給部１０の出力電圧ＶLED、そして放熱板の温度情報を受信する。
【００４０】
制御部５０は、測定された各ＬＥＤアレイ２１、２２…２Ｎの電流値が正常範囲を脱するか否かを判断する。この際、ＬＥＤアレイの正常範囲は、正常電流の９０％〜１１０％に定められるが、必ずこれに限定されるものではない。
【００４１】
ＬＥＤアレイ２１、２２…２Ｎの電流値のうち１つ以上が正常範囲を脱することは、特定のＬＥＤ素子が劣化し、動作電圧Ｖｆが増加または減少するからである。
【００４２】
このように電流バランスが割れるようになれば、特定のＬＥＤアレイ２１、２２…２Ｎに電流が増加するかまたは減少し、全体的に各ＬＥＤアレイ２１、２２…２Ｎ毎に明るさが変わって、均一な照度を維持することができない。また、特定のＬＥＤアレイ２１、２２…２Ｎに印加される電流が増加する場合、ＬＥＤ寿命が短縮される問題がある。
【００４３】
したがって、制御部５０は、電流バランスが割れたと判断される場合には、各ＬＥＤアレイ２１、２２…２Ｎに含まれたＬＥＤの合成抵抗（等価抵抗）を算出する。
【００４４】
もし、各ＬＥＤアレイ２１、２２…２Ｎの合成抵抗が一致すれば、ＬＥＤ素子以外に他の異常があるものなので、所定期間以後、さらに電流バランスを測定する。
【００４５】
なお、各ＬＥＤアレイ２１、２２…２Ｎの合成抵抗が一致しない場合には、ＬＥＤ素子に異常が発生したものと判断し、可変抵抗部９０を調節し、各ＬＥＤアレイ２１、２２…２Ｎの全体抵抗（ＬＥＤアレイの合成抵抗＋可変抵抗部の補正抵抗＋センシング抵抗）を一致させることによって、電流バランスを維持する。
【００４６】
したがって、また、各ＬＥＤアレイ２１、２２…２Ｎに流れる電流は一定になるので、光の均一度を最大に維持することができ、ＬＥＤモジュール２０のうち一部ＬＥＤ素子の異常によって全体ＬＥＤモジュールが不良になることを最小化することができる。
【００４７】
また、定電流供給部１０を制御することなく、可変抵抗部９０を利用するので、最小限の電力損失で電流バランスを維持することができる。
【００４８】
この際、各ＬＥＤアレイ２１、２２…２Ｎの合成抵抗は、温度センシング部８０から受信された放熱板の温度が基準温度範囲を満足するときに算出することが好ましい。
【００４９】
なお、可変抵抗部９０を利用して抵抗値を調節する場合にも、電力損失が発生することができ、このような損失電力があらかじめ定められた基準値より大きい場合には、制御部５０が各ＬＥＤアレイ２１、２２…２Ｎの電流値のうち正常範囲を脱したＬＥＤアレイの電流値を累積し、増減された電流の累積値分だけ電流値が調節されるように、前記定電流供給部１０を制御することができる。
【００５０】
一方、他の方法として、制御部５０が全体損失電力があらかじめ定められた基準値と同一になる範囲までに可変抵抗部９０を調節した後、前記可変抵抗部が調節された状態で各ＬＥＤアレイの電流値のうち正常範囲を脱したＬＥＤアレイの電流値を累積し、正格電流から前記累積した電流値を引いた調整電流を出力するように定電流供給部１０を制御してもよい。
【００５１】
例えば、基準値が正格電力の１％の場合には、正格電力の１％に該当する範囲まで可変抵抗部９０を調節し、可変抵抗部９０によって全体抵抗が補正された状態で正常範囲を脱したＬＥＤアレイの電流値を累積した後、正格電流から前記累積した電流値を引いた調整電流を出力するように、定電流供給部１０を制御することができるものである。
【００５２】
この際、基準値は、正格電力の１％に例示したが、正格電力の０．１％〜５％の範囲で任意に定めることができる。
【００５３】
パルス幅変調部６０は、制御部５０から受けた信号によってパルスのデューティ比を調節して出力することによって、定電流供給部１０の定電流の大きさを制御することができる。しかし、前述したように、定電流供給部１０は、パルス幅変調部以外に多様なインターフェースが選択されることができる。
【００５４】
通信部７０は、シリアル通信ポットを通じて各ＬＥＤアレイ２１、２２…２Ｎの電流Ｉ１〜Ｉｎ、定電流供給部１０の全体出力電流ＩＴ、出力電圧ＶLED、放熱板温度などの状態を遠隔監視が可能になるように構成し、遠隔地でＬＥＤアレイ２１、２２…２Ｎ（２１、２２、２３、２４、〜２ｎ）の電流制御と環境設定値の変更が可能となるように通信インターフェースを提供する。このような通信インターフェースを通じて、遠隔地で後述する補正抵抗算出制御と可変抵抗制御などが可能になって、遠隔で各ＬＥＤアレイ間の電流バランスを調節することができる。
【００５５】
図２は、本発明の実施例によって各ＬＥＤアレイで測定された電流バランスを維持する過程を示す流れ図であり、図３は、各ＬＥＤアレイに全体抵抗を一致させるために補正抵抗を算出する過程を示す図である。
【００５６】
本発明による制御方法は、各ＬＥＤアレイ２１、２２…２Ｎの電流値が正常範囲であるかを判断する段階Ｓ１０と、前記各ＬＥＤアレイ２１、２２…２Ｎのうちいずれか１つ以上の電流値が正常範囲を脱した場合に、前記各ＬＥＤアレイ２１、２２…２Ｎの合成抵抗を測定する段階Ｓ２０と、前記各ＬＥＤアレイ２１、２２…２Ｎの合成抵抗が一致しない場合、前記各ＬＥＤアレイ２１、２２…２Ｎの全体抵抗が一致するように補正抵抗を算出する段階Ｓ３０と、前記算出された補正抵抗を有するように可変抵抗部９０を制御し、前記各ＬＥＤアレイ２１、２２…２Ｎの全体抵抗を一致させる段階Ｓ４０とを含む。
【００５７】
まず、各ＬＥＤアレイ２１、２２…２Ｎの電流値が正常範囲であるかを判断する段階Ｓ１０について説明する。制御部５０は、各ＬＥＤアレイ２１、２２…２Ｎの電流値を含む情報を受信（Ｓ１１）し、ＬＥＤアレイ２１、２２…２Ｎのうち１つ以上が正常範囲を脱した場合には、ＬＥＤ素子に異常が発生したものと判断（Ｓ１２）する。この際、正常範囲は、正常電流の９０％〜１１０％に定めることができる。
【００５８】
この際、制御部５０は、ＬＥＤアレイ２１、２２…２Ｎの電流値が臨界範囲を脱するかを判断（Ｓ１３）する。臨界範囲は、正常電流の３０％以上１３０％以下の範囲に定めることができる。
【００５９】
すなわち、ＬＥＤアレイ２１、２２…２Ｎの電流値が正常電流の３０％未満であるか、または１３０％を超過する場合には、当該ＬＥＤアレイが開放または短絡したものと判断し、当該ＬＥＤアレイを遮断させ、当該ＬＥＤアレイの個数分だけ電流値が減少するように定電流供給部１０を制御（Ｓ１４）する。
【００６０】
なお、ＬＥＤアレイ２１、２２…２Ｎの電流値が正常範囲は脱したが、臨界範囲は超過しない場合には、ＬＥＤ素子に異常はあるが、まだ開放または短絡したものではないので、最大限電流バランスを維持させて、これ以上状態が悪くならないように調節する。
【００６１】
その後、各ＬＥＤアレイ２１、２２…２Ｎの合成抵抗を測定する段階Ｓ２０と、補正抵抗を算出する段階Ｓ３０は、図３を参照して詳しく説明する。
【００６２】
まず、ＬＥＤアレイ２１、２２…２Ｎの合成抵抗を測定する段階Ｓ２０は、制御部５０がＬＥＤアレイ２１、２２…２Ｎの構造、抵抗変数、定電流情報などを読み出す（Ｓ２１０）。
【００６３】
その後、制御部５０は、定電流を減少させて測定電流を維持（Ｓ２２０）する。測定電流は、正格電流をＮ個のＬＥＤアレイ２１、２２…２Ｎ個数で割った電流値である。例えば、ＬＥＤアレイ２１、２２…２Ｎが５個である場合、正格電流の１／５に該当する測定電流を印加する。すなわち、当該ＬＥＤアレイの正常電流を印加するものである。
【００６４】
その後、可変抵抗部９０を選択的にスイッチング（Ｓ２３０）し、測定すべきＬＥＤアレイ２１、２２…２Ｎを選択する。例えば、第１ＬＥＤアレイ２１を選択した場合、第１ＬＥＤアレイ２１の可変抵抗部９０のみをスイッチオンし、残りのＮ−１個のＬＥＤアレイ２２…２Ｎは、スイッチをオフさせて遮断する。
【００６５】
その後、制御部５０は、第１ＬＥＤアレイ２１に含まれた複数個のＬＥＤ素子の動作電圧Ｖｆによって出力電圧ＶLEDを測定（Ｓ２４０）し、下記関係式１によって第１ＬＥＤアレイ２１の合成抵抗（等価抵抗）を演算（Ｓ２５０）する。
【００６６】
［関係式１］
ＲＡｎ＝ＶLEDｎ／Ｉ測定電流
同一の方法で順次にＮ−１個のＬＥＤアレイ２２…２Ｎの合成抵抗を算出する。
【００６７】
補正抵抗を算出する段階Ｓ３０は、測定された合成抵抗が各ＬＥＤアレイ２１、２２…２Ｎ別に偏差がある場合、合成抵抗が最も大きいＬＥＤアレイ（すなわち電流が最も少なく流れるアレイ）を基準としてそれぞれのＬＥＤアレイと抵抗偏差を確認する。その後、抵抗偏差分だけそれぞれの補正抵抗を算出する。
【００６８】
この際、合成抵抗及び補正抵抗、定電流情報などがメモリに保存されるので、当該ＬＥＤアレイの抵抗偏差を把握することができる長所がある。
【００６９】
さらに図２を参照すれば、全体抵抗を一致させる段階(Ｓ４０)で、制御部５０は、算出された補正抵抗の適用時に、発生する全体損失電力が正格電力の１％以上上昇するかを判断(Ｓ４１)する。
【００７０】
全体損失電力が正格電力の１％未満の場合には、可変抵抗部９０を制御し、補正抵抗を適用することによって、各ＬＥＤアレイ２１、２２…２Ｎの全体抵抗を一致（Ｓ４２）させる。
【００７１】
結果的にＬＥＤアレイの全体抵抗（ＬＥＤアレイの合成抵抗＋可変抵抗部の補正抵抗＋センシング抵抗）がすべて一致すれば、電流は、さらにバランスを維持するようになる。
【００７２】
なお、各ＬＥＤアレイ２１、２２…２Ｎに連結された可変抵抗部９０を調節することによって、発生する全体損失電力が正格電力の１％以上の場合には、各ＬＥＤアレイ２１、２２…２Ｎの電流値のうち正常範囲を脱した電流値を累積した後、増減された電流の累積値分だけ電流値が調節されるように定電流供給部１０を制御（Ｓ４３）することができる。
【００７３】
または、損失電力があらかじめ定められた基準値と同一になる範囲まで前記可変抵抗部９０を調節し、可変抵抗部９０によって全体抵抗が補正された状態で正常範囲を脱したＬＥＤアレイの電流値を累積した後、正格電流から前記累積した電流値を引いた調整電流を出力するように定電流供給部１０を制御することができる。
【００７４】
この際、基準値は、正格電力の１％と例示したが、正格電力の０．１％〜５％の範囲で任意に定めることができる。
【００７５】
以上、本発明者によって行われた発明を前記実施例によって具体的に説明したが、本発明は、前記実施例に限定されるものではなく、その要旨を逸脱しない範囲でいろいろに変更可能なことはもちろんである。
【図１】
2015533018.tif 000003
【図２】
2015533018.tif 000004
【図３】
2015533018.tif 000005
【国際調査報告】
2015533018.tif 000006
2015533018.tif 000007
2015533018.tif 000008
2015533018.tif 000009